(57)【要約】【課題】  クッキーＩＤを用いなくても、アンケートサーバが独自に収集するデータと収集サーバが独自に収集する接触データとを対応付けることを可能とする端末装置及び収集方法を提供する。【解決手段】  端末装置１０は、コンテンツサーバ２０に対するアクセスを行うアプリケーションの起動を要求する起動情報をアンケートサーバ４０から受信する通信部１１と、起動情報の選択に応じて、アプリケーションを起動するとともに、アプリケーションの起動に応じて、収集サーバ３０に対する回答者識別子の送信を指示する制御部１２とを備える。【選択図】  図２
2015141692.tif 000002
【特許請求の範囲】
【請求項１】
コンテンツサーバから提供されるウェブコンテンツの接触データが収集サーバによって収集されるネットワークで用いる端末装置であって、
前記コンテンツサーバに対するアクセスを行うアプリケーションの起動を要求する起動情報をアンケートサーバから受信する受信部と、
前記起動情報の選択に応じて、前記アプリケーションを起動するとともに、前記アプリケーションの起動に応じて、前記アンケートサーバから提供されるアンケートに対する回答者を識別する回答者識別子の前記収集サーバに対する送信を指示する制御部とを備えることを特徴とする端末装置。
【請求項２】
コンテンツサーバから提供されるウェブコンテンツの接触データが収集サーバによって収集されるネットワークで用いる収集方法であって、
アンケートサーバから前記端末装置に対して、前記コンテンツサーバに対するアクセスを行うアプリケーションの起動を要求する起動情報を受信するステップＡと、
前記起動情報の選択に応じて、前記アプリケーションを前記端末装置が起動するステップＢと、
前記アプリケーションの起動に応じて、前記端末装置から前記収集サーバに対して、前記アンケートサーバから提供されるアンケートに対する回答者を識別する回答者識別子を送信するステップＣとを備えることを特徴とする収集方法。
【発明の詳細な説明】
【技術分野】
【０００１】
本発明は、コンテンツサーバから提供されるウェブコンテンツの接触データを収集サーバが収集するネットワークで用いる端末装置及び収集方法に関する。
【背景技術】
【０００２】
従来、ウェブコンテンツの接触データを収集する様々な技術が提案されている（例えば、特許文献１）。例えば、測定タグを用いる手法やツールバーを用いる手法が提案されている。いずれの方法を採用する場合であっても、端末装置を識別する識別子としてクッキーＩＤが用いられることが一般的である。
【先行技術文献】
【特許文献】
【０００３】
【特許文献１】特開２０１１−５３８１２号公報
【発明の概要】
【発明が解決しようとする課題】
【０００４】
ところで、クッキーＩＤは、同一ドメインに存在するサーバによって端末装置（詳細には、ウェブブラウザ）を識別可能な識別子である。従って、異なるドメインに存在するサーバは、互いのサーバに共通するクッキーＩＤによって端末装置を識別することができない。
【０００５】
なお、端末装置がアクセスするサーバによって端末装置を識別するクッキーＩＤは、端末装置がアクセスするサーバにとって、ファーストパーティクッキーＩＤと称される。端末装置がアクセスするサーバと異なるドメインに存在するサーバによって端末装置を識別するクッキーＩＤは、端末装置がアクセスするサーバにとって、サードパーティクッキーＩＤと称される。
【０００６】
ここで、接触データを収集する収集サーバが存在するドメインが、ウェブコンテンツを配信するコンテンツサーバが存在するドメインと異なるケースについて考える。このようなケースでは、収集サーバは、コンテンツサーバが端末装置を識別するクッキーＩＤによって端末装置を識別することができない。従って、端末装置がコンテンツサーバにアクセスする場合に、収集サーバが端末装置を識別するためには、収集サーバが端末装置を識別するクッキーＩＤ（すなわち、この段階では、サードパーティクッキーＩＤ）を端末装置が収集サーバに送信しなければならない。
【０００７】
しかしながら、端末装置が有するアプリケーションとして、サードパーティクッキーＩＤの送信が禁止されているアプリケーションが存在する。或いは、端末装置が有するアプリケーションとして、クッキーＩＤの送信そのものが禁止されているアプリケーションも存在する。
【０００８】
このようなケースでは、アンケートサーバによって独自に収集されるアンケート結果と収集サーバによって独自に収集される接触データとをクッキーＩＤによって対応付けることができない。
【０００９】
そこで、本発明は、上述した課題を解決するためになされたものであり、クッキーＩＤを用いなくても、アンケートサーバが独自に収集するデータと収集サーバが独自に収集する接触データとを対応付けることを可能とする端末装置及び収集方法を提供することを目的とする。
【課題を解決するための手段】
【００１０】
第１の特徴は、コンテンツサーバから提供されるウェブコンテンツの接触データが収集サーバによって収集されるネットワークで用いる端末装置であって、前記コンテンツサーバに対するアクセスを行うアプリケーションの起動を要求する起動情報をアンケートサーバから受信する受信部と、前記起動情報の選択に応じて、前記アプリケーションを起動するとともに、前記アプリケーションの起動に応じて、前記アンケートサーバから提供されるアンケートに対する回答者を識別する回答者識別子の前記収集サーバに対する送信を指示する制御部とを備えることを要旨とする。
【００１１】
第２の特徴は、コンテンツサーバから提供されるウェブコンテンツの接触データ収集サーバによって収集されるネットワークで用いる収集方法であって、アンケートサーバから前記端末装置に対して、前記コンテンツサーバに対するアクセスを行うアプリケーションの起動を要求する起動情報を受信するステップＡと、前記起動情報の選択に応じて、前記アプリケーションを前記端末装置が起動するステップＢと、前記アプリケーションの起動に応じて、前記端末装置から前記収集サーバに対して、前記アンケートサーバから提供されるアンケートに対する回答者を識別する回答者識別子を送信するステップＣとを備えることを要旨とする。
【発明の効果】
【００１２】
本発明によれば、クッキーＩＤを用いなくても、アンケートサーバが独自に収集するデータと収集サーバが独自に収集する接触データとを対応付けることを可能とする端末装置及び収集方法を提供することができる。
【図面の簡単な説明】
【００１３】
【図１】図１は、第１実施形態に係る接触調査システム１００を示す図である。
【図２】図２は、第１実施形態に係る端末装置１０を示すブロック図である。
【図３】図３は、第１実施形態に係るアンケートサーバ４０によって収集される情報を示す図である。
【図４】図４は、第１実施形態に係る収集サーバ３０によって収集される情報を示す図である。
【図５】図５は、第１実施形態に係る収集方法を示すシーケンス図である。
【図６】図６は、第１実施形態に係る収集方法を示すシーケンス図である。
【発明を実施するための形態】
【００１４】
以下において、本発明の実施形態に係る接触調査システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る端末装置は、コンテンツサーバから提供されるウェブコンテンツの接触データが収集サーバによって収集されるネットワークで用いる。端末装置は、前記コンテンツサーバに対するアクセスを行うアプリケーションの起動を要求する起動情報をアンケートサーバから受信する受信部と、前記起動情報の選択に応じて、前記アプリケーションを起動するとともに、前記アプリケーションの起動に応じて、前記アンケートサーバから提供されるアンケートに対する回答者を識別する回答者識別子の前記収集サーバに対する送信を指示する制御部とを備える。
【００１７】
実施形態では、端末装置は、起動情報の選択に応じて、アプリケーションを起動するとともに、アプリケーションの起動に応じて、収集サーバに対する回答者識別子の送信を指示する。これによって、アンケートサーバが回答者を識別する回答者識別子を収集サーバに通知することが可能であり、回答者識別子等を媒介として、アンケートサーバによって独自に収集されるアンケート結果と収集サーバによって独自に収集される接触データとを対応付けることができる。
【００１８】
ここで、「独自に」とは、収集サーバによって収集される接触データを識別する識別子が、原則として、アンケートサーバによって収集されるアンケート結果を識別する識別子と異なることを意味する。このような前提下において、実施形態では、アンケート結果を識別する回答者識別子を収集サーバに通知することによって、アンケート結果と接触データとの対応付けを可能としている。
【００１９】
［第１実施形態］
（接触調査システム）
以下において、第１実施形態に係る接触調査システムについて説明する。図１は、第１実施形態に係る接触調査システム１００を示す図である。
【００２０】
図１に示すように、接触調査システム１００は、端末装置１０と、コンテンツサーバ２０と、収集サーバ３０と、アンケートサーバ４０と、ネットワーク５０とを有する。
【００２１】
端末装置１０は、スマートフォンに代表される携帯端末、タブレット端末などである。端末装置１０は、ウェブコンテンツに接触するためのアプリケーション（例えば、ウェブブラウザ等）を有する。端末装置１０が有するアプリケーションとしては、サードパーティクッキーＩＤの利用（格納又は送信）が禁止されているアプリケーションを含む。或いは、端末装置１０が有するアプリケーションとしては、クッキーＩＤの送信そのものが禁止されているアプリケーションを含む。
【００２２】
第１に、端末装置１０は、アンケートサーバ４０から所定アンケートを受信すると、端末装置１０のユーザの回答を含むアンケート結果をアンケートサーバ４０に送信する。具体的には、端末装置１０は、所定アンケートに対するアンケート結果を収集サーバ３０に送信する。
【００２３】
回答者識別子は、端末装置１０のユーザを識別する識別子である。回答者識別子は、アンケートサーバ４０によって発行されてもよく、予め定められていてもよい。或いは、回答者識別子は、ユーザによって設定（入力）されてもよく、端末装置１０で自動的に生成されてもよい。所定アンケートは、端末装置１０のユーザを対象として、年齢、性別、趣味、嗜好などの属性を問合せるアンケートである。アンケート結果は、年齢、性別、趣味、嗜好などの属性（ユーザの回答）を含む。
【００２４】
第２に、端末装置１０は、コンテンツサーバに対するアクセスを行うアプリケーションの起動を要求する起動情報をアンケートサーバ４０から受信する。端末装置１０は、起動情報の選択に応じて、アプリケーションを起動するとともに、アプリケーションの起動に応じて、回答者識別子を収集サーバ３０に送信する。
【００２５】
ここで、起動情報は、端末装置１０が有するアプリケーションを起動するための情報であり、
例えば、アプリケーションを特定するための情報及び収集サーバ３０にアクセスすべきことを示すコマンドを含むＵＲＬスキームである。起動情報は、ウェブページの形式で収集サーバ３０に提供されてもよく、電子メールの形式で収集サーバ３０に提供されてもよい。
【００２６】
例えば、ＵＲＬスキームを実行するＵＲＬスキーマは、ＵＲＬスキームの選択に応じて、ＵＲＬスキームの一部によって指定されるアプリケーションを起動するとともに、ＵＲＬスキームに含まれるコマンドの実行によって、収集サーバ３０に対するアクセスを実行する。ここで、ＵＲＬスキーマは、クエストリング等の手法によって回答者識別子を受け取っており、収集サーバ３０に対するアクセスによって、収集サーバ３０に対して回答者識別子及びアプリケーションＩＤを通知する。
【００２７】
ここで、アプリケーションＩＤは、例えば、端末装置１０（ユーザ）を一意に識別しており、かつ、アプリケーションを一意に識別するＵＵＩＤ（Ｕｎｉｖｅｒｓａｌｌｙ  Ｕｎｉｑｕｅ  Ｉｄｅｎｔｉｆｉｅｒ）である。
【００２８】
第３に、端末装置１０は、コンテンツサーバに対するアクセスを行うアプリケーションに埋め込まれたタグ（例えば、ＳＤＫ（Ｓｏｆｔｗａｒｅ  Ｄｅｖｅｌｏｐｍｅｎｔ  Ｋｉｔ）タグ）の実行に応じて、アプリケーションを識別するアプリケーションＩＤとともに、ウェブコンテンツの接触データを収集サーバ３０に送信する。
【００２９】
接触データは、例えば、接触ＵＲＬ、接触日時、リファラーなどを含む。接触ＵＲＬは、アプリケーションを用いて取得されたウェブコンテンツを識別する情報である。接触日時は、アプリケーションを用いてウェブコンテンツが取得された日時である。リファラーは、アプリケーションを用いてウェブコンテンツを検索する際に参照されたウェブコンテンツを識別する情報（例えば、ＵＲＬ；Ｕｎｉｆｏｒｍ  Ｒｅｓｏｕｒｃｅ  Ｌｏｃａｔｏｒ）である。接触データは、アプリケーションの起動日時、アプリケーションの終了日時、アプリケーションのアクション（広告接触や動画接触など）であってもよい。或いは、接触データは、接触ＵＲＬ、接触日時、リファラーなどに加えて、アプリケーションの起動日時、アプリケーションの終了日時を含んでいてもよい。
【００３０】
コンテンツサーバ２０は、様々なウェブコンテンツを提供するサーバである。ここで、コンテンツサーバ２０は、端末装置１０が有するアプリケーションによってアクセスされるサーバであればよい。具体的には、コンテンツサーバ２０は、ネットワーク５０を介して、ウェブコンテンツを構成するデータ（例えば、ＨＴＭＬデータやＸＭＬデータなど）を端末装置１０に送信する。なお、ウェブコンテンツは、動画像や静止画像などによって構成されるコンテンツを含んでいてもよい。
【００３１】
収集サーバ３０は、アプリケーションを用いて取得されたウェブコンテンツの接触データを収集する。詳細には、収集サーバ３０は、ウェブコンテンツの接触データ及びアプリケーションＩＤを含む情報を端末装置１０から受信する。ここで、収集サーバ３０によって収集されるウェブコンテンツの接触データは、アプリケーションＩＤ及び回答者識別子を媒介として、アンケートサーバ４０に格納されたアンケート結果と対応付けられてもよい。第１実施形態では、収集サーバ３０は、コンテンツサーバ２０が属するドメインとは異なるドメインに属していてもよく、コンテンツサーバ２０が属するドメインと同じドメインに属していてもよい。収集サーバ３０は、アンケートサーバ４０が属するドメインと同じドメインに属していてもよく、アンケートサーバ４０が属するドメインと異なるドメインに属していてもよい。
【００３２】
アンケートサーバ４０は、所定アンケートを端末装置１０に送信する。アンケートサーバ４０は、所定アンケートに対する回答結果を端末装置１０から受信する。詳細には、アンケートサーバ４０は、所定アンケートに対するアンケート結果を回答者識別子と対応付けて管理する。上述したように、回答者識別子は、アンケートサーバ４０によって発行されてもよく、予め定められていてもよい。或いは、回答者識別子は、ユーザによって設定（入力）されてもよく、端末装置１０で自動的に生成されてもよい。第１実施形態では、アンケートサーバ４０は、コンテンツサーバ２０が属するドメインとは異なるドメインに属していてもよく、コンテンツサーバ２０が属するドメインと同じドメインに属していてもよい。
【００３３】
ここで、アンケートサーバ４０は、所定アンケートに対するアンケート結果と対応付けられるように、回答者識別子を取得することに留意すべきである。回答者識別子がアンケートサーバ４０によって発行される場合には、回答者識別子は、アンケートの送信或いはアンケート結果の受信に応じて、アンケートサーバ４０によって発行されてもよい。回答者識別子がユーザによって設定される場合には、或いは、回答者識別子が端末装置１０で自動的に生成される場合には、回答者識別子は、端末装置１０からアンケートサーバ４０に対して、アンケート結果と同時に送信されてもよい。或いは、回答者識別子は、端末装置１０からアンケートサーバ４０に対して、アンケート結果を送信するセッションと同じセッション中に送信されてもよい。  ネットワーク５０は、端末装置１０、コンテンツサーバ２０、収集サーバ３０及びアンケートサーバ４０を接続するネットワークである。ネットワーク５０は、例えば、インターネットである。或いは、ネットワーク５０は、移動体通信網を含んでもよい。
【００３４】
（端末装置）
以下において、第１実施形態に係る端末装置について説明する。図２は、第１実施形態に係る端末装置１０を示すブロック図である。なお、図２では、端末装置１０を構成する機能ブロックが示されている。従って、図２では、ＣＰＵやメモリなどの構成が省略されていることに留意すべきである。図２に示すように、端末装置１０は、通信部１１と、制御部１２とを有する。
【００３５】
通信部１１は、コンテンツサーバ２０、収集サーバ３０及びアンケートサーバ４０と通信を行う。例えば、通信部１１は、所定アンケートに対するアンケート結果をアンケートサーバ４０に送信する。
【００３６】
第１実施形態において、通信部１１は、コンテンツサーバ２０に対するアクセスを行うアプリケーションの起動を要求する起動情報をアンケートサーバ４０から受信する。起動情報は、上述したように、ウェブページの形式で提供されてもよく、電子メールの形式で提供されてもよい。
【００３７】
制御部１２は、端末装置１０を制御する。第１実施形態において、制御部１２は、起動情報の選択に応じて、アプリケーションを起動する。制御部１２は、アプリケーションの起動に応じて、収集サーバに対する回答者識別子の送信を通信部１１に指示する。
【００３８】
例えば、起動情報がＵＲＬスキームであるケースを例に挙げると、制御部１２は、ＵＲＬスキームを実行するＵＲＬスキーマを有する。制御部１２（ＵＲＬスキーマ）は、ＵＲＬスキームの選択に応じて、ＵＲＬスキームの一部によって指定されるアプリケーションを起動するとともに、ＵＲＬスキームに含まれるコマンドの実行によって、収集サーバに対するアクセスを実行する。ここで、制御部１２（ＵＲＬスキーマ）は、クエストリング等の手法によって回答者識別子を受け取っており、収集サーバに対するアクセスによって、収集サーバに対して回答者識別子及びアプリケーションＩＤを通知する。
【００３９】
（収集サーバ及びアンケートサーバの収集情報）
以下において、第１実施形態に係る収集サーバ及びアンケートサーバによって収集される情報について説明する。図３は、アンケートサーバ４０によって収集される情報を示す図である。図４は、収集サーバ３０によって収集される情報を示す図である。
【００４０】
第１に、アンケートサーバ４０は、図３に示すように、端末装置１０から受信する情報に基づいて、回答者識別子及びアンケート結果を対応付ける。
【００４１】
第２に、収集サーバ３０は、図４に示すように、端末装置１０から受信する情報に基づいて、アプリケーションＩＤとウェブコンテンツの接触データとを対応付ける。
【００４２】
ここで、収集サーバ３０は、上述したように、端末装置１０における起動情報の選択に応じて、回答者識別子及びアプリケーションＩＤを端末装置１０から受信する。従って、アプリケーションＩＤ及び回答者識別子を媒介として、収集サーバ３０によって収集されるウェブコンテンツの接触データをアンケートサーバ４０に格納されたアンケート結果と対応付けることが可能である。
【００４３】
（収集方法）
以下において、第１実施形態に係る収集方法について説明する。図５及び図６は、第１実施形態に係る収集方法を示すシーケンス図である。以下においては、図５及び図６に示す例では、アンケートサーバ４０が属するドメインは、収集サーバ３０が属するドメインと異なっている。
【００４４】
第１に、回答者識別子を収集サーバ３０に送信する手順について、図５を参照しながら説明する。
【００４５】
図５に示すように、ステップＳ１０において、端末装置１０は、アンケートサーバ４０にアクセスする。
【００４６】
ステップＳ２０において、アンケートサーバ４０は、所定アンケートを端末装置１０に送信する。
【００４７】
ステップＳ３０において、端末装置１０は、所定アンケートに対するアンケート結果をアンケートサーバ４０に送信する。
【００４８】
ステップＳ４０において、アンケートサーバ４０は、アンケートに対する回答者を識別する回答者識別子を発行する。
【００４９】
ステップＳ５０において、アンケートサーバ４０は、コンテンツサーバ２０に対するアクセスを行うアプリケーションの起動を要求する起動情報を端末装置１０に送信する。起動情報は、上述したように、例えば、ＵＲＬスキームであり、アプリケーションを特定するための情報及び収集サーバ３０にアクセスすべきことを示すコマンドを含む。なお、回答者識別子がアンケートサーバ４０によって発行される場合には、ステップＳ５０において、アンケートサーバ４０は、起動情報とともに回答者識別子を端末装置１０に送信する。但し、回答者識別子は、予め定められていてもよく、ユーザによって設定されてもよく、端末装置１０で自動的に生成されてもよい。
【００５０】
ステップＳ６０において、端末装置１０は、起動情報の選択（ユーザ操作）に応じて、起動情報によって特定されるアプリケーションを起動する。
【００５１】
ステップＳ７０において、端末装置１０は、アプリケーションの起動に応じて、回答者識別子及びアプリケーションＩＤを収集サーバ３０に送信する。
【００５２】
第２に、ウェブコンテンツの接触データを収集する手順について、図６を参照しながら説明する。
【００５３】
図６に示すように、Ｓ１１０において、端末装置１０は、ユーザ操作等によって、アプリケーションを起動する。
【００５４】
Ｓ１２０において、端末装置１０は、ウェブコンテンツを要求するコンテンツ要求をコンテンツサーバ２０に送信する。
【００５５】
ステップＳ１３０において、コンテンツサーバ２０は、コンテンツ要求に応じて、ウェブコンテンツを端末装置１０に送信する。
【００５６】
ステップＳ１４０において、端末装置１０は、コンテンツサーバ２０に対するアクセスを行うアプリケーションに埋め込まれたタグ（例えば、ＳＤＫタグ）を実行する。
【００５７】
ステップＳ１５０において、端末装置１０は、タグの実行に応じて、アプリケーションを識別するアプリケーションＩＤとともに、ウェブコンテンツの接触データを収集サーバ３０に送信する。
【００５８】
（作用及び効果）
第１実施形態では、端末装置１０は、起動情報の選択に応じて、アプリケーションを起動するとともに、アプリケーションの起動に応じて、収集サーバ３０に対する回答者識別子の送信を指示する。これによって、アンケートサーバ４０が回答者を識別する回答者識別子を収集サーバ３０に通知することが可能であり、回答者識別子等を媒介として、アンケートサーバ４０によって独自に収集されるアンケート結果と収集サーバ３０によって独自に収集される接触データを対応付けることができる。
【００５９】
ここで、「独自に」とは、収集サーバ３０によって収集される接触データを識別する識別子（実施形態では、アプリケーションＩＤ）が、原則として、アンケートサーバ４０によって収集されるアンケート結果を識別する識別子（実施形態では、回答者識別子）と異なることを意味する。このような前提下において、実施形態では、アンケート結果を識別する回答者識別子を収集サーバ３０に通知することによって、アンケート結果と接触データとの対応付けを可能としている。
【００６０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６１】
実施形態では、起動情報の一例として、ＵＲＬスキームについて説明した。しかしながら、実施形態は、これに限定されるものではない。起動情報は、アプリケーションを特定するための情報及び収集サーバ３０にアクセスすべきことを示すコマンドを含んでいればよい。
【００６２】
実施形態では、接触データを収集する方法として、アプリケーションに埋め込まれたタグ（ＳＤＫタグ）を用いるケースについて説明した。しかしながら、実施形態は、これに限定されるものではない。接触データを収集する方法は、プロキシサーバを利用するプロキシ方式であってもよく、ツールバーを利用するツールバー方式であってもよい。
【００６３】
実施形態では、接触データを収集する手順で端末装置１０を識別するための識別子として、アプリケーションＩＤを用いるケースについて説明した。しかしながら、実施形態は、これに限定されるものではない。接触データを収集する手順で端末装置１０を識別するための識別子は、例えば、クッキーＩＤであってもよく、他の識別子であってもよい。接触データを収集する手順で端末装置１０を識別するための識別子は、回答者識別子を収集サーバ３０に送信する手順において、回答者識別子とともに端末装置１０から収集サーバ３０に送信されることが好ましい。
【００６４】
実施形態では、接触データは、接触ＵＲＬ、接触日時、リファラーなどを含む。しかしながら、実施形態は、これに限定されるものではない。接触データは、少なくとも接触ＵＲＬを含んでいればよい。或いは、接触データは、他のデータを含んでいてもよい。
【００６５】
実施形態では特に触れていないが、端末装置１０が有するアプリケーションは、コンテンツサーバ２０にアクセスする機能を有していればよい。アプリケーションは、ウェブブラウザであってもよく、ゲームのアプリケーションであってもよく、ＳＮＳ（Ｓｏｃｉａｌ  Ｎｅｔｗｏｒｋ  Ｓｅｒｖｉｃｅ）のアプリケーションであってもよい。
【００６６】
実施形態では特に触れていないが、端末装置１０が有するアプリケーションによって接触されるウェブコンテンツを提供するコンテンツサーバ２０は、端末装置１０が有するアプリケーションを提供するアプリケーションサーバと同じであってもよい。但し、コンテンツサーバ２０は、アプリケーションサーバと異なっていてもよい。
【符号の説明】
【００６７】
１０…端末装置、１１…通信部、１２…制御部、２０…コンテンツサーバ、３０…収集サーバ、４０…アンケートサーバ、５０…ネットワーク、１００…接触調査システム
【図１】
2015141692.tif 000003
【図２】
2015141692.tif 000004
【図３】
2015141692.tif 000005
【図４】
2015141692.tif 000006
【図５】
2015141692.tif 000007
【図６】
2015141692.tif 000008